(57)【要約】      （修正有）【課題】ソフトウェアのインストール操作を簡易化するネットワークビデオカメラ認識システムおよび方法を提供する。【解決手段】ネットワークビデオカメラがパスワード及びビデオアプリケーションプログラムを保存し、サーバ側ウェブサイトが認証モジュールでネットワークビデオカメラを認識し、さらに機能モジュールを供給する。そのため、クライアント側コンピュータにネットワークビデオカメラが供給するビデオアプリケーションプログラムをインストールした後に、ネットワークビデオカメラがクライアント側コンピュータよりサーバ側ウェブサイトに接続でき、サーバ側ウェブサイトでネットワークビデオカメラのパスワードが合法か否かを認証し、合法と認証した際に、このネットワークビデオカメラは、機能モジュールより供給するオーディオ・ビデオサービスを得られる。【選択図】図１
2006222869.tif 000002
【特許請求の範囲】
【請求項１】
認証モジュールと機能モジュールとを有するサーバ側ウェブサイトと、
クライアント側コンピュータと、
前記クライアント側コンピュータに接続され、認証パスワード及び接続起動のパスワード暗号を保存する不揮発性メモリを有するネットワークビデオカメラとを備え、
前記クライアント側コンピュータは、接続起動のパスワードによりサーバ側ウェブサイトに接続し、オーディオ・ビデオソフトウェアをダウンロードしてインストールし、同時にネットワークビデオカメラの認証パスワードをサーバ側ウェブサイトの認証モジュールにより認識し、ネットワークビデオカメラが前記機能モジュールのサービスを得るかを判断する
ことを特徴とするネットワークビデオカメラ認識システム。
【請求項２】
前記ネットワークビデオカメラは、ＵＳＢインターフェース及び前記クライアント側コンピュータを介して接続されることを特徴とする請求項１記載のネットワークビデオカメラ認識システム。
【請求項３】
前記サーバ側ウェブサイトは、さらにデータベースを含み、前記データベースは、前記ネットワークビデオカメラが使用されるデータを保存することを特徴とする請求項１記載のネットワークビデオカメラ認識システム。
【請求項４】
認証モジュールと機能モジュールとを有するサーバ側ウェブサイトと、
クライアント側コンピュータと、
前記クライアント側コンピュータに接続され、認証パスワード及びビデオアプリケーションソフトを保存する不揮発性メモリを有するネットワークビデオカメラとを備え、
前記クライアント側コンピュータは、ビデオアプリケーションソフトのインストールによりサーバ側ウェブサイトに接続し、オーディオ・ビデオデータを伝送し、同時にネットワークビデオカメラの認証パスワードをサーバ側ウェブサイトの認証モジュールにより認識し、ネットワークビデオカメラが前記機能モジュールのサービスを得るかを判断する
ことを特徴とするネットワークビデオカメラ認識システム。
【請求項５】
前記ネットワークビデオカメラは、ＵＳＢインターフェース及び前記クライアント側コンピュータを介して接続されることを特徴とする請求項４記載のネットワークビデオカメラ認識システム。
【請求項６】
前記サーバ側ウェブサイトは、さらにデータベースを含み、前記データベースは、前記ネットワークビデオカメラが使用されるデータを保存することを特徴とする請求項４記載のネットワークビデオカメラ認識システム。
【請求項７】
ネットワークビデオカメラであって、
マスタスレーブ構造のネットワークに応用し、前記ネットワークビデオカメラはクライアント側コンピュータに接続され、かつクライアント側コンピュータとサーバ側ウェブサイトにより接続し、
ネットワークビデオカメラの内部では、認証パスワード及び接続起動のパスワード接続を保存するための不揮発性メモリが設けられ、前記認証パスワードがサーバ側ウェブサイトの前記ネットワークビデオカメラに供給し認識し、前記接続起動のパスワードが前記クライアント側コンピュータを前記サーバ側に接続するようにオーディオ・ビデオソフトをダウンロードし使用する
ことを特徴とするネットワークビデオカメラ。
【請求項８】
ネットワークビデオカメラであって、
マスタスレーブ構造のネットワークに応用し、前記ネットワークビデオカメラはクライアント側コンピュータに接続され、かつクライアント側コンピュータとサーバ側ウェブサイトにより接続し、
ネットワークビデオカメラの内部では、認証パスワード及びビデオアプリケーションソフトを保存するための不揮発性メモリが設けられ、前記認証パスワードがサーバ側ウェブサイトの前記ネットワークビデオカメラに供給し認識し、前記ビデオアプリケーションソフトが前記クライアント側コンピュータに供給しインストールし、かつサーバ側ウェブサイトに接続し、オーディオ・ビデオデータを伝送する
ことを特徴とするネットワークビデオカメラ。
【請求項９】
認証パスワードをネットワークビデオカメラ内に保存し、ネットワークビデオカメラがクライアント側コンピュータを介してサーバ側ウェブサイトに接続され、
前記サーバ側ウェブサイトはネットワークビデオカメラに保存する認証パスワードが合法かを認証し、
ネットワークビデオカメラがサーバ側ウェブサイトによる符合の後に許容を、前記ネットワークビデオカメラはサーバ側ウェブサイトが提供されるサービスを得ることになる
ことを特徴とするネットワークビデオカメラ認識システムの方法。
【請求項１０】
前記ネットワークビデオカメラは、不揮発性メモリを用い前記認証パスワードを保存することを特徴とする請求項９記載のネットワークビデオカメラ認識システムの方法。
【請求項１１】
前記ネットワークビデオカメラは、接続起動のパスワードがクライアント側コンピュータをサーバ側ウェブサイトに接続しビデオアプリケーションソフトをダウンロードしインストールすることを提供することを特徴とする請求項９記載のネットワークビデオカメラ認識システムの方法。
【請求項１２】
前記ネットワークビデオカメラは、ビデオアプリケーションソフトがクライアント側コンピュータにビデオソフトウェアをインストールし、かつビデオデータをサーバ側に伝送することオーディオ・ビデオを供給することをさらに含むことを特徴とする請求項９記載のネットワークビデオカメラ認識システムの方法。
【請求項１３】
前記サーバ側ウェブサイトは、機能モジュールによりネットワークビデオカメラにサービスを供給することを特徴とする請求項９記載のネットワークビデオカメラ認識システムの方法。
【請求項１４】
前記ネットワークビデオカメラは、サーバ側ウェブサイトにより不合格を認証した後、、パスワードを入力し、サーバ側ウェブサイトが前記ネットワークビデオカメラが合格かを認証させることをさらに含むことを特徴とする請求項９記載のネットワークビデオカメラ認識システムの方法。
【発明の詳細な説明】
【技術分野】
【０００１】
本発明は、ネットワークビデオカメラ認識システム及びその方法に係わり、特に、ソフトウェアを適切に加えるネットワークビデオカメラに関するものである。
【背景技術】
【０００２】
通常、利用者は、コンピュータ上にビデオソフトウェアを用い、インターネットを介して２台のコンピュータ間で即時にオーディオ・ビデオを転送できるようにさせると思っている。現在、ビデオアプリケーションソフトウェアの主な取付方式としては、２種の方式が提供されている。その一つはビデオ光ディスクソフトウェアを利用して複雑なインストールを行う方式である。もう一つはインターネットを利用して遠距離プログラムをダウンロードしてインストールを行う方式である。
【０００３】
しかしながら、一般の利用者は、コンピュータ操作やソフトウェアインストールの方法を習ったことがなく、順調に全てのインストール手順を完了することは難しい。また、コンピュータ専業技術者にとっても、ビデオアプリケーションソフトウェアをセットアップするまでには、かなり面倒なインストール工程を経る必要がある。
【発明の開示】
【発明が解決しようとする課題】
【０００４】
本発明は、ネットワークビデオカメラにソフトウェアを適切に加え、ソフトウェアのインストール操作を簡易化するネットワークビデオカメラ認識システム、その方法及びネットワークビデオカメラを提供することを目的とする。
【課題を解決するための手段】
【０００５】
前記の目的を達成するために、本発明は、認証モジュールと機能モジュールとを有するサーバ側ウェブサイトと、クライアント側コンピュータと、クライアント側コンピュータに接続され、パスワード及び接続起動暗号を保存する不揮発性メモリを有するネットワークビデオカメラとを備えるネットワークビデオカメラ認識システムを提供する。このシステムにおいて、クライアント側コンピュータは、接続起動暗号によりサーバ側ウェブサイトに接続しオーディオ・ビデオソフトウェアをダウンロードしてインストールさせ、サーバ側ウェブサイトの認証モジュールよりネットワークビデオカメラのパスワードを認識し、ネットワークビデオカメラが機能モジュールより供給するサービスを得るか否かを判断する。
【０００６】
前記の目的を達成するために、本発明は、認証モジュールと機能モジュールとを有するサーバ側ウェブサイトと、クライアント側コンピュータと、クライアント側コンピュータに接続され、パスワード及びビデオアプリケーションプログラムを保存する不揮発性メモリを有するネットワークビデオカメラとを備えるネットワークビデオカメラ認識システムを提供する。このシステムにおいて、クライアント側コンピュータは、ビデオアプリケーションプログラムのインストールでサーバ側ウェブサイトに接続しオーディオ・ビデオデータ転送を行い、サーバ側ウェブサイトの認証モジュールよりネットワークビデオカメラのパスワードを認識し、ネットワークビデオカメラが機能モジュールより供給するサービスを得るか否かを判断する。
【０００７】
前記の目的を達成するために、本発明は、ネットワークビデオカメラ認識システムの方法を提供する。この方法において、ネットワークビデオカメラ内にパスワードを設け、ネットワークビデオカメラがクライアント側コンピュータよりサーバ側ウェブサイトに接続し、サーバ側ウェブサイトでネットワークビデオカメラのパスワードが合法か否かを認証し、ネットワークビデオカメラがサーバ側ウェブサイトによって許容を得た後に、ネットワークビデオカメラがサーバ側ウェブサイトより供給するサービスを得る。
【０００８】
以下に添付図面を参照しながら、本発明の具体的な実施の形態を詳細に説明するが、それらの説明と図面に開示される具体的な構成は本発明の主張範囲を狭義的に制限するものではないことは言うまでもないことである。
【発明を実施するための最良の形態】
【０００９】
図１は本発明の好ましい実施例のシステム構成図である。この図に示すように、本発明は、主従（マスタスレーブ）構造ネットワークに適応するネットワークビデオカメラ認識システムであって、ネットワークビデオカメラ１０と、クライアント側コンピュータ２０と、サーバ側ウェブサイト４０とを含む。このシステムにおいて、ネットワークビデオカメラ１０は、ソフトウェアを保存し、かつ、好ましくは、挿入から即時使用を達成するように、ＵＳＢインターフェースを介してクライアント側コンピュータ２０に接続し、また、クライアント側コンピュータ２０よりネットワーク（例えばインターネット）３０を介してサーバ側ウェブサイト４０に接続し、サーバ側ウェブサイト４０よりネットワークビデオカメラ１０への認証認識を実行し、ネットワークビデオカメラ１０が合法か否かを確定（正当性確認）し、サーバ側ウェブサイト４０より供給するサービス、例えば、オーディオ・ビデオデータの転送或はオーディオ・ビデオ関連アプリケーションを受けることができる。
【００１０】
本発明のネットワークビデオカメラは、夫々、図２及び図３に示されるように、２種の実施態様を有する。先ず、図２においては、ネットワークビデオカメラ１０に不揮発性メモリ１２が内蔵され、不揮発性メモリ１２にパスワード（同図では「暗証番号」）１２１及び接続起動暗号（同図では「リンク起動番号」）１２２のソフトウェアが保存される。このパスワード１２１は、サーバ側ウェブサイト４０よりネットワークビデオカメラ１０が合法か否かを判断させるもので、接続起動暗号１２２はクライアント側コンピュータ２０をサーバ側ウェブサイト４０に自動的に接続させ、サーバ側ウェブサイト４０からビデオソフトウェアをダウンロードしてインストールするものである。
【００１１】
図３においては、同様にネットワークビデオカメラ１１に不揮発性メモリ１２が設けられ、不揮発性メモリ１２にパスワード１２１及びビデオアプリケーションプログラム（同図では「視聴アプリケーションプログラム」）１２３のソフトウェアが保存される。このパスワード１２１は、上記と同じのようにサーバ側ウェブサイト４０よりネットワークビデオカメラ１１が合法か否かを判断させるものである。ビデオアプリケーションプログラム１２３は直接的にクライアント側コンピュータ２１よりビデオソフトウェアをインストールでき、図２に示されるように、クライアント側コンピュータ２０より接続起動暗号１２２でサーバ側ウェブサイト４０に接続し所要のビデオソフトウェアをダウンロードする必要は無い。
【００１２】
要するに、本発明のネットワークビデオカメラのビデオソフトウェアインストール方式は、図２に示されるネットワークビデオカメラ１０のように、サーバ側ウェブサイト４０に直接的に接続し、ビデオソフトウェアをダウンロードしてインストールを行う。又は、図３に示されるネットワークビデオカメラ１１のように、直接的にネットワークビデオカメラ１１自身よりビデオアプリケーションプログラム１２３を得てインストールする。
【００１３】
図４は本発明の好ましい実施例のサーバ側ウェブサイトを示す図である。図４に示すように、サーバ側ウェブサイト４０は、認証モジュール４１と機能モジュール４２とデータベース４３とを有する。認証モジュール４１はネットワークビデオカメラ１０或は１１のパスワード１２１を認識するもので、認識結果が合法であると、ネットワークビデオカメラ１０或は１１の身分がサーバ側ウェブサイト４０に許容されるものであることを表し、サーバ側ウェブサイト４０より供給するサービスを受けることができ、サーバ側ウェブサイト４０の機能モジュール４２よりクライアント側にインストールされるオーディオ・ビデオソフトウェアの操作に基いて所要のオーディオ・ビデオ信号を応答する。機能モジュール４２は、図２のネットワークビデオカメラ１０に対しビデオソフトウェアのダウンロードを供給することも出来、データベース４３はネットワークビデオカメラ１０或は１１の操作過程のデータを保存する。
【００１４】
図５は本発明の好ましい実施例のフローチャートである。本発明のネットワークビデオカメラ認識システムの実行方法は、図５に示すような工程を含む。まず、クライアント側コンピュータに接続されるネットワークビデオカメラが（視聴）ビデオアプリケーションプログラムを保存してるか否かを判断する（Ｓ５０１）。
【００１５】
保存してないとの判断結果時には（Ｓ５０１で「ＮＯ」）、このネットワークビデオカメラが図２の構造に属することを表すか或は、全くパスワードが設置されない普通のネットワークビデオカメラであることを表し、前者の場合はクライアント側コンピュータより接続起動暗号で、後者の場合は手動で、サーバ側ウェブサイトに接続し、ビデオインストールソフトウェアをダウンロードする必要がある（Ｓ５１３）。
【００１６】
保存してるとの結果時には（Ｓ５０１で「ＹＥＳ」）、このネットワークビデオカメラが図３の構造に属することを表し、クライアント側コンピュータは、ネットワークビデオカメラ１０よりビデオアプリケーションプログラムを直接的に得てインストールする。そして、クライアント側コンピュータがインストールされたビデオソフトウェアよりサーバ側ウェブサイトに接続されると、サーバ側ウェブサイトはネットワークビデオカメラが合法身分であるか否かを判断できる（Ｓ５０３）。判断方式はサーバ側ウェブサイトの認証モジュールよりネットワークビデオカメラに保存されるパスワードを認識する。
【００１７】
合法と判断される時には（Ｓ５０３でＹＥＳ）、ネットワークビデオカメラよりサーバ側ウェブサイトが供給するサービスを実行することを許容する（Ｓ５０５）。不法と判断される時には（Ｓ５０３で「ＮＯ」）、利用者より手動で暗号を入力させ（Ｓ５０７）、パスワードが設置されない普通のネットワークビデオカメラでもサーバ側ウェブサイトが供給するサービスを実行できるようにする。
【００１８】
Ｓ５０７の後、入力した暗号が正しいか否かを判断する（Ｓ５０９）。正しいとの判断時には（Ｓ５０９で「ＹＥＳ」）、スッテプＳ５０５に跳ぶ。正しくないとの判断時には（Ｓ５０９で「ＮＯ」）、ネットワークビデオカメラはサーバ側ウェブサイトが供給するサービスを得られなくなる（Ｓ５１１）。
【００１９】
再び、図１を参照すると、ネットワークビデオカメラ１０及び１１が夫々クライアント側コンピュータ２０及び２１に接続される際に、かつ、ネットワークビデオカメラ１０及び１１がともに合法の身分を有し、並びにクライアント側コンピュータ２０及び２１がともにビデオソフトウェアをインストールした際に、サーバ側ウェブサイト４０と各クライアント側コンピュータ２０及び２１の間のネットワークの転送より、クライアント側コンピュータ２０及び２１の間に夫々接続されるネットワークビデオカメラ１０及び１１を介して互いにオーディオ・ビデオデータを転送できるようになり、オーディオ・ビデオ転送テーブルが構築される。
【００２０】
そのため、本発明のネットワークビデオカメラ認識システム及びその方法によって、以下の利点を有する。
１．ネットワークビデオカメラ内にソフトウェアが保存される。このようなソフト／ハードウェアを統一する方式は、ネットワークビデオカメラのソフトウェアインストール手順を減少でき、並びにインストールのスピードを加速し、操作者が操作し易くなる。
２．ネットワークビデオカメラが身分認識の機能を有し、携帯及びいずれかのコンピュータに取付でき、かつ、主従構造ネットワークの接続を介して、即時にこのネットワークビデオカメラが使用するデータをアクセスし、コンピュータをオーディオ・ビデオコンピュータにレベルアップできる。
【００２１】
以上のように、前記に開示されたそれぞれの具体的な構成は、単に本発明の実施可能な実施例に過ぎなく、本発明の特徴を制限するものではなく、いずれの当該分野における通常の知識を有する専門家が本発明の分野の中で、適当に変更や修正などを実施できるが、それらの実施のことが本発明の主張範囲内に入るべきことは言うまでもないことである。
【図面の簡単な説明】
【００２２】
【図１】本発明の好ましい実施例のシステム構成図である。
【図２】本発明の好ましい実施例のネットワークビデオカメラを示す図である。
【図３】本発明の好ましい実施例のもう一つのネットワークビデオカメラを示す図である。
【図４】本発明の好ましい実施例のサーバ側ウェブサイトを示す図である。
【図５】本発明の好ましい実施例のフローチャートである。
【符号の説明】
【００２３】
１０，１１  ネットワークビデオカメラ
２０，２１  クライアント側コンピュータ
３０  ネットワーク
４０  サーバ側ウェブサイト
４１  認証モジュール
４２  機能モジュール
４３  データベース
１２  不揮発性メモリ
１２１  パスワード
１２２  接続起動暗号
１２３  ビデオアプリケーションプログラム
【図１】
2006222869.tif 000003
【図２】
2006222869.tif 000004
【図３】
2006222869.tif 000005
【図４】
2006222869.tif 000006
【図５】
2006222869.tif 000007